Podtech/llm-jp-corpus-v4-ja_patent huggingface dataset:
(57)【要約】【課題】  従来の絞りローラー付バケツは，専用の布引き用具の装着を必要とし、一般の布は絞ることが出来ないという問題があった。【解決手段】  水槽本体と回転力付のローラー絞り機の機構を一体化することにより、水槽内で洗われた布を、ローラーの回転力により絞り機内へ導く事ができ、また機外へ排出される為，専用の用具を装着しない一般の布を絞ることを可能にした。【選択図】  図  １
2006223787.tif 000002
【特許請求の範囲】
【請求項１】
布を水洗いする為の水槽本体と、回転力付きのローラー絞り機の機構を一体化し、２本のローラーの接圧にて、濡れた布を絞る事のできるバケツ。
【請求項２】
絞り用ローラーの回転力は、手動ハンドルを回す事により発生させ、ローラーの自転により、濡れた布を絞り機内へ導くことが出来、絞り終えた布を絞り機外へ、排出させる事のできるバケツ。
【請求項３】
２本の絞り用ローラーの接圧力調整は、手提げを押し下げる力により、調節することができるバケツ。
【請求項４】
絞りローラー表面には、布の引き込み用の針を装着し、ローラーより布の脱落を防止する為、逆回転止装置をローラー軸に設けたバケツ。
【請求項５】
絞り用ローラーの回転力及び、速度は手動ハンドルより歯車伝達することにより、目的に合った回転力、速度を得る事ができるバケツ。
【発明の詳細な説明】
【技術分野】
【０００１】  本発明は濡れた布を手絞りより解放する為の、一般家庭から産業用にいたる広範囲な用途を図ったバケツに関するものである。
【背景技術】
【０００２】  従来においては、濡れた布の専用取付棒を上方に引くことにより、布を絞ることのできるバケツはある。【０００３】  以下、図６により、従来の絞りローラー付バケツについて説明する。
この物は、上方へ布を引き上げる為に、布に専用の引き棒を必要とした。
【発明の開示】
【発明が解決しようとする課題】
【０００４】  既存の絞り用ローラーには回転する自力が無く、布を引く為の用具が装着されていない布は、ローラーより引き出す事が出来ない為、一般の布は使用不可能であった。【０００５】  ローラーに回転力を与える事により、一般の布を絞ることが可能となり、前述の欠点を解決。
【課題を解決するための手段】
【０００６】  絞ろうとする布を、ローラーの自力回転により、絞りローラー内部へと導き、排出することにより解決。【０００７】  絞りローラーの径、及び水槽の容量、形状は用途に応じ、幾通りにも変更することが出来る。【０００８】  絞りローラーの絞り圧力は、必要に応じ、「手提げ」の長短により変える事ができる。【０００９】  基本形状を生かし、絞る布の大小、厚さ等に対応した仕様変更にも対処できる。【００１０】  使用する布を限定する事により、小型化が可能であり、軽量化も計ることが出来る為、室内の清掃時等には手軽に持ち運びを行なうことを提供でき、手桶、風呂桶等としても使用できる。【００１１】  濡れた布を絞る時、握力の衰えた老人、手、指に障害のある者、及び手絞り以上の力を必要とするような場合、手絞りに代わり、安全かつ安易に行なうことを提供できる。
【発明を実施するための最良の形態】
【００１２】  以下、本発明の実施の形態を図１〜図４に基ずいて説明する。【００１３】  図１においては、ローラー付きバケツの全体側面、断面図である。
布を洗う為の水槽と、洗った布を絞るための、人力による回転力付きのローラー機構で構成され、これらを一体化した図である。【００１４】  １は耐久性のプラスチック等適宜素材にて一体化形成された水槽本体で、本体の一部にローラー室、歯車室を設ける。【００１５】  ２は水槽本体を持ち運ぶ為の手提げであり、可動式である。        ２を押し下げることにより、２の底部は４のローラーの軸部を押しあげる。【００１６】  ２により、押し上げられた４のローラーは、９の布引き入り口より入った布を押し上げ、５のローラーと接圧する。【００１７】  ４のローラーは、８のハンドルを回す事により、歯車において回転力を得、９の布引き入り口の布を引き込み、ローラー４と５の接圧部へと布を導く。【００１８】  ４のローラー表面には、布の引き込み用、落下防止の為の針を装着し、ローラー本体が布の重みで空転するのを防ぐ為の、逆回転止装置をローラー軸に設ける。【００１９】  絞り布は、４のローラーの回転力により引き込まれ、５のローラーとの間を２の押し上げ力の接圧を受けながら、１０の排出口へと導かれる。【００２０】  ４のローラー軸部は上下可動となる為、水漏防止対策を施す。【００２１】  水を１の水槽本体に入れる際、水位を見るため、歯車室内に１３の水位計を設け、４のローラーより水位が上がるのを防ぐ、また同時に水位の上昇により１０の布排出口より、水が外部に流れ出ることを防ぐ。【００２２】  ローラーカバー１１の底部には、ローラーにおいて絞り取った水を水槽内へ戻す為の、排水穴を設ける。【００２３】  布排出口１０の外部には、絞り終えた布が床等に落下するのを防止する為の、脱着式の受け皿を装着する事ができる。
【産業上の利用可能性】
【００２４】  既存の絞りローラー付バケツとは違い、布をローラーより引き出すための、専用用具の装着を必要としないため、一般の布が対象となり、日常生活に密着した製品が期待できる。
【図面の簡単な説明】
【００２５】
【図１】  本発明の実施形態を示す絞りローラー付バケツの側面、全体断面図、図においては水槽内に水が入り，水位計が上がった状態を示す。
【図２】  平面、断面図
【図３】  正面図
【図４】  側面図
【図５】  立面図
【図６】  従来のローラー付バケツ立面図
【符号の説明】
【００２６】  １        水槽本体
２        手提げ
３        ハンドル
４        ローラー  （Ａ）
５        ローラー  （Ｂ）
６        歯車室
７        歯車
８        ハンドル及び手提げ支持部
９        布、引き込み口
１０        布、排出口
１１        ローラー、カバー
１２        ラバー
１３        ローラー（Ａ）軸部上下スライド装置
１４        水位計、浮部
１５        水位計、標示棒
１６        布、引き込み用針
【図１】
2006223787.tif 000003
【図２】
2006223787.tif 000004
【図３】
2006223787.tif 000005
【図４】
2006223787.tif 000006
【図５】
2006223787.tif 000007
【図６】
2006223787.tif 000008
(57)【要約】【課題】グリーン上でその日の体調に合わせて、ゴルフパターの裏側にある回転式移動バランスを好みの位置に微妙に移動して使用できる。【解決手段】ゴルフのパター本体部（１）の裏側に丸い溝（３）を掘り、その中にネジ通し穴明きバランス（２）を設け、その上からネジ（４）を本体部（１）に連結出来るように設ける。【選択図】図１
2006223788.tif 000002
【特許請求の範囲】
【請求項１】
ゴルフのパターの裏側に、回転式移動バランス器具を設けたもの。
【発明の詳細な説明】
【技術分野】
【０００１】本発明はゴルフのパター本体部（１）の裏側に、回転式移動バランス器具を設けたものに関するものである
【背景技術】
【０００２】従来ゴルフのパターのあらゆる場所にバランスを施している物は有った。【０００３】しかしどれを取ってもシンプルさ機能的に不満足なものばかりである。
【発明の開示】
【発明が解決しようとする課題】
【０００４】解決しようとする問題点は、バランス（２）が回転移動することで、従来のバランス移動式パターより効率よく機能を向上させる事が出来る。
【課題を解決するための手段】
【０００５】本発明はゴルフの本体部（１）の裏側に丸い溝（３）を掘り、その中にネジ通し穴明きバランス（２）を設け、その上からネジ（４）を本体部（１）に連結出来るように設ける。
【発明の効果】
【０００６】本発明はバランス（２）が自由に回転できるので、微妙なバランス調整ができ、好みの位置に固定して利用することで満足のいけるゴルフパターである。又全般的ゴルフ器具も併用できるものでもある。
【発明を実施するための最良の形態】
【０００７】本発明を利用する時は、好みの位置にバランス（２）をセットし、ネジ（４）を締めてから使用することで微妙なバランス感覚が得られ、バランス（２）を後部側にセットする事で打感までも変えることが出来る。
【実施例１】
【０００８】ゴルフパター本体部（１）の裏側に丸い溝（３）を掘り、その中にネジ通し穴明きバランス（２）を設け、その上からネジ（４）を本体部（１）に連結出来るように設ける。
【図面の簡単な説明】
【０００９】
【図１】ゴルフのパター裏側斜視図である。
【図２】断面図である。
【符号の説明】
【００１０】  本体部（１）
バランス（２）
溝（３）
ネジ（４）
【図１】
2006223788.tif 000003
【図２】
2006223788.tif 000004
(57)【要約】【課題】マスクの紐を使用者の耳に掛けて保持すると、使用時間が長い場合において、頭部と耳の接合部の上部および後部、耳タブ部が擦れてしまい、非常に痛みを伴う。これを解消する装置の提供および、安価に製造する方法と構造。【解決の手段】マスクの一対の紐を本発明品の背側の溝３ａに掛けて使用することで、マスクの一対の紐は、本発明の溝により安定した保持がなされ、本発明品を耳に掛けることで、擦れによる痛みを防止することができる。【選択図】図２
2006223792.tif 000002
【特許請求の範囲】
【請求項１】
マスクと耳の間に挟み耳の痛みを改善する補助具
【請求項２】
上記補助具の簡易な構造および製造方法
【発明の詳細な説明】
【技術分野】
【０００１】本発明は、広くは口や鼻をカバーするマスクに関するものであり、その紐を耳に掛ける場合に使用するものである。マスクの装着における耳掛けの紐による擦れを防止する手段に関するものである。
【背景技術】
【０００２】従来、マスク本体の両側にゴム紐を取付け、そのゴム紐を耳掛けとして使用者の両耳に掛けて使用している。
【発明の開示】
【発明が解決しようとする課題】
【０００３】マスクの紐を使用者の耳に掛けて保持すると、使用時間が長い場合において、頭部と耳の接合部の上部および後部、耳タブ部が擦れてしまい、非常に痛みを伴う。
【課題を解決するための手段】
【０００４】本発明は以上の問題点の課題を解決するために、使用者の耳を保護するために、マスクの紐付けて使用する。
本発明によるマスクの紐掛け時の擦れ防止手段の具体的な構成を詳細に記載する。本発明は、一対にて使用し、マスクの一対の紐を本発明品の背側の溝３ａに掛けて使用する。マスクの一対の紐は、本発明の溝により安定した保持をする。そして、本発明品を耳に掛けることで、擦れによる痛みを防止する。
【発明の効果】
【０００６】本発明の補助具を使用すれば、マスクの耳掛け紐による擦れが解消されるため、マスクを長時間に亘って使用しても、耳の接合部の上部および後部、耳タブ部の痛みを起こすことがなくなる。
【実施例】
【０００７】図１はマスクに本発明品を適用したもので、図１に示す１はマスク本体、２はマスク本体１の両側に取付けた、一対のゴム紐などの耳掛け紐である。
３は本発明の補助具で、使用者の耳に掛ける形状の主体部と、その背側に設けた溝３ａおよび、布等の皮膚接触部の緩衝材３ｂとからなる。
主体部の大きさは、図２に示すように、耳の前上部２ａから後ろ下部までの長さとなり、マスクを使用した状態において、ゴム紐が皮膚に接触しない程度にする。
主体部の背側には、マスクのゴム紐が収まる溝３ａを設け、マスクのゴム紐がずれてしまわないようにする。
主体部の使用者に接触する部分には、布等の緩衝材３ｂを貼付けて、装着感の向上をする。【０００８】本発明品を安価に製作するために、図５に示すように、発泡ウレタンなどの柔軟な材質５ａを主体部とし、緩衝材３ｂを接着した後に切込みを入れる方法により溝３ａを成型する。なお、この場合には、形状を安定させるためにアルミなどの芯骨を差込む。
また、マスクの耳掛け紐による擦れが顕著に現れるのは、頭部と耳の接合部上部６の部分であるため、この部分のみの保護を目的に短くし芯骨を省略する方向も良い。
【産業上の利用可能性】
【０００９】本発明を使用することで、長時間に亘るマスクの使用に苦痛を感じ無くなることから、医療関係、粉塵の発生する工事現場でのマスク使用時に効果がある。また、一般の家庭においても、風邪または花粉症などにより、長時間に亘るマスクの使用時に苦痛を無くす事ができる。
また、製作工程が簡易なため、製造費用の削減が可能であり安価に製作できる。
【図面の簡単な説明】
【００１０】
【図１】本発明を使用した、マスクの装着例を示したものである。
【図２】図１の一例の概略拡大斜視図を示したものである。
【図３】図１の一例に示す主体部３の構造を側面図、背視図で示したものである。
【図４】図３の主体部３の断面４ａ−４ｂを示したものである。
【図５】本発明を安価に実現する場合の断面を示したものである。
【図６】簡易な本発明を使用した、マスクの装着例を示したものである。
【符号の説明】
【００１１】  １  マスク本体
２  マスクのゴム紐
３  本発明主体部
３ａ本発明品の背側の溝
３ｂ緩衝材
５ａ主体部
５ｂ芯
６  頭部と耳の接合部上部
【図１】
2006223792.tif 000003
【図２】
2006223792.tif 000004
【図３】
2006223792.tif 000005
【図４】
2006223792.tif 000006
【図５】
2006223792.tif 000007
【図６】
2006223792.tif 000008
(57)【要約】【課題】従来の手提げ袋は，防水素材を使用した物でさえも、横倒しになれば中の物が外にこぼれたり、溜まった水は流出した。従来の手提げ袋の製造方法は、底辺あるいは側面を接合して袋本体は形成されていた。素材や接合方法によっては、底辺や側面の接合部分から水が滲み出て、袋を置いた周辺が濡れてしまった。【解決手段】防水機能のある素材を使用し、本体部分は円形一枚１で構成し、底辺や側面に縫い目や接着部分を作らない。もち手や留め具を付けるための上部開口部２に円の縁を集めて接合し、円の中心が動かず倒れない形状を保つようにした。上部開口部２には、留め具としてボタンやファスナーを使用したり、紐を通して閉じる方法等の他に、蓋を装着する事もできる。【選択図】    図１
2006223799.tif 000002
【特許請求の範囲】
【請求項１】
本体は円形一枚から形成した手提げ袋である。
【請求項２】
底辺及び側面に接合（接着）部分が無い手提げ袋である。
【請求項３】
円周の縁を内側に集め、中心に向かって閉じた形で円を作る。
上部開口部の縁で接合され開口部中心が移動せず、形状が保たれ横倒しにならない手提げ袋である。
【請求項４】
防水及び撥水効果のある素材を使用し、中に入っている物が濡れていても滲み出した水や、溜まった水は外部に流れ出さない防水機能の手提げ袋である。
【発明の詳細な説明】
【技術分野】
【０００１】  本発明は、手提げ袋の製造工程において、円一枚で本体を作り、底辺や側面に縫い目や接着部分を作らない。
中に物を入れると、上下の円の中心がずれないので倒れない。防水機能のある素材を使用して、中に溜まった水が流出しない手提げ袋に関するものである。
【背景技術】
【０００２】  従来の手提げ袋は、防水素材を使用した物でさえも、横倒しになれば中の物が外に出たり、溜まった水は流出した。
従来の手提げ袋の製造方法は、底辺あるいは側面を接合して袋は形成されていた。素材や接合方法によっては、底辺や側面の接合部分から水が滲み出て、袋を置いた周辺が濡れてしまった。
【発明の開示】
【発明が解決しようとする課題】
【０００３】  従来の袋に、水に濡れた水着やウエットスーツを入れて置くと縫い目や接着部分から水がしみ出たり、横倒しになって溜まった水が流出し、周囲の物をぬらしてしまう問題があった。従来の買い物袋や手提げ袋は、運搬時に本体が倒れると、中身が出てしまっていた。
【課題を解決するための手段】
【０００４】  防水機能のある素材を使用し、本体部分は円形一枚１で構成し、底辺や側面に縫い目や接着部分を作らない。
もち手や留め具を付けるための上部開口部２に円の縁を集めて接合し、円の中心が動かず倒れない形状を保つようにした。
上部開口部２には、留め具としてボタンやファスナーを使用したり、紐を通して閉じる方法等の他に、蓋を装着する事もできる。
【発明の効果】
【０００５】  従来の手提げ袋は、底の部分と側面が接合されて本体が形成されていたが、この手提げ袋は本体が一枚布で接合部分がないため水漏れの危険性がない。
水に濡れた衣類や水着、ウエットスーツが安心して運搬できる。
中に水が溜まっていても、構造上袋の入り口は中心からずれないので、袋は倒れず水が流れ出すことはない。
主婦が買い物等に使用する時、中が空のときは、半分に折れてかさばらない。
円は多くの物が収納出来るし、車にそのまま置いても倒れないので安心して運搬出来、大変便利になった。
【発明を実施するための最良の形態】
【０００６】  この手提げ袋は本体となる円１、上部もち手３と入り口を閉じる留め具５を設置する為の開口部分２で構成されている。
【実施例】
【０００７】  濡れた水着やウエットスーツを入れて運搬したが、溜まった水が外に漏れたり、流出しなかった。【０００８】  スーパーマーケットで買い物をして、車で運搬したが倒れることなく自宅まで運んだ。
【図面の簡単な説明】
【０００９】
【図１】  中に物が入った状態を示した平面図である。
【図２】  真上から見た状態を示した平面図である。
【符号の説明】
【００１０】１  円からなる袋本体
２  開口部で閉じられた円と接合し、もち手や留め具を設置する
３  もち手
４  とめ具
【図１】
2006223799.tif 000003
【図２】
2006223799.tif 000004
(57)【要約】【課題】  カップの温かい飲料を保温するソーサーを提供する。【解決手段】  ソーサーの内部を空洞にし、湯を入れることができるようにする。ここに高温の湯を入れるとソーサー自体が熱を持つため、カップの温かい飲料を保温することができる。【選択図】  図１
2006223794.tif 000002
【特許請求の範囲】
【請求項１】
内部を空洞にし、湯を入れることができるようにしたソーサー
【発明の詳細な説明】
【技術分野】
【０００１】  本発明は、カップの飲料を保温するための、内部を空洞にし湯を入れることができるようにしたソーサーに関するものである。
【背景技術】
【０００２】  従来、カップの飲料を保温する方法としては、カップ自体を二重構造したものがある。また、カップに蓋を設けたものがある。
【発明の開示】
【発明が解決しようとする課題】
【０００３】  従来の保温カップでは、飲料が残り少なくなってからの保温力が著しく低下した。
【課題を解決するための手段】
【０００４】  内部を空洞にし、湯を入れることができるようにしたソーサー。
【発明の効果】
【０００５】  ソーサーに高温の湯を入れるとソーサー自体が熱を持つため、カップの温かい飲料が残り少なくなっても比較的長時間保温することができる。
【発明を実施するための最良の形態】
【０００６】  以下、本案の実施の形態について説明する。
（イ）図１のように内部を空洞にし、湯を入れることができるようにソーサーを成型する。
【図面の簡単な説明】
【０００７】
【図１】断面図（Ａ−Ａ断面）
【図２】平面図
【図１】
2006223794.tif 000003
【図２】
2006223794.tif 000004
(57)【要約】【課題】    従来の下駄は、日本国独特の雰囲気はあったが、おしゃれ感にかけていた。【解決手段】    下駄のかかと部分を高くすることにより、おしゃれ感を持ち合わせ、これにより、特に、若い女性のニーズとおしゃれ意識を深めることが出来るとともに、和服、洋服にも合う下駄となる。【選択図】図  １
2006223796.tif 000002
【特許請求の範囲】
【請求項１】
従来の和装用木製下駄を、かかとを高くすることにより洋風感覚とした下駄。
【発明の詳細な説明】
【技術分野】
【０００１】  本発明は、特に若い女性のおしゃれを図った下駄に関する。
【背景技術】
【０００２】従来の下駄は底面が二本歯の物やかかとの低い物である。
【発明の開示】
【発明が解決しようとする課題】
【０００３】  以上に述べた従来の下駄ではおしゃれ感がない。【０００４】  本発明は、このような従来の問題を解決しようとするものであり、和風でありながら洋風的な感覚を実現することを目的とするものである。
【課題を解決するための手段】
【０００５】  そして、本発明は上記目的を達成するために、日本国独特の木製の下駄で、従来のビロード、ベルベット、ビニールなどの鼻緒をすげた物に、かかとを高くしハイヒールを付けることにより、洋風感覚とおしゃれ感を持ち合わせ、和風、洋風にも合う下駄として履けようにしたものである。
【図１】
2006223796.tif 000003
【図２】
2006223796.tif 000004
【図３】
2006223796.tif 000005
【手続補正書】
【提出日】平成17年4月27日(2005.4.27)
【手続補正１】
【補正対象書類名】明細書
【補正対象項目名】全文
【補正方法】変更
【補正の内容】
【発明の詳細な説明】
【技術分野】
【０００１】  本発明は、特に若い女性のおしゃれを図った下駄に関する。
【背景技術】
【０００２】  従来の下駄は底面が二本歯の物やかかとの低い物である。
【発明の開示】
【発明が解決しようとする課題】
【０００３】  以上に述べた従来の下駄ではおしゃれ感がない。【０００４】  本発明は、このような従来の問題を解決しようとするものであり、和風でありながら洋風的な感覚を実現することを目的とするものである。
【課題を解決するための手段】
【０００５】  そして、本発明は上記目的を達成するために、日本国独特の木製の下駄で、従来のビロード、ベルベット、ビニールなどの鼻緒をすげた物に、かかとを高くしハイヒールを付けることにより、洋風感覚とおしゃれ感を持ち合わせ、和風、洋風にも合う下駄として履けようにしたものである。
【図面の簡単な説明】
【０００６】
【図１】  平面図  平面図としては、従来の和風下駄であり、形は、（Ａ）や（Ｂ）が考えられる。材質は、あくまでも木製である。
【図２】  側面図  和風下駄として従来の下駄よりもかかと部分が高くなる。（５０ｍｍ以上）形は、（Ｃ）や（Ｄ）が考えられる。
【図３】  後部かかと部分図  （Ｃ）や（Ｄ）の形が考えられるように、かかと部分の形としては特定出来ない。但し、かかと部分の高さは、従来の下駄は５０ｍｍ以内に対し、本発明は、それ以上の高さを以てハイヒール下駄のかかととする。
【手続補正２】
【補正対象書類名】図面
【補正対象項目名】全図
【補正方法】変更
【補正の内容】
【図１】
2006223796.tif 000006
【図２】
2006223796.tif 000007
【図３】
2006223796.tif 000008
(57)【要約】【課題】従来の毛取り用具は毛取りを目的としたブラシを発明して、その専用ブラシを使わないと容易に毛を取ることが出来ない物や、また安全性に欠ける物が多かった。【解決手段】毛取り専用ブラシに買い換えたり、安全性に欠ける物を使用しなくても、この毛取りシートを装着することによって、円筒状タイプ以外のブラシに装着する事を可能とし、また安全性の確保が出来る。【選択図】図１
2006223798.tif 000002
【特許請求の範囲】
【請求項１】
市販のブラシ本体に、毛取りシートを取り付けることによって、ブラシ使用後シートを剥がした際、ブラシに付着した毛を容易に取ることが出来る。
【請求項２】
毛取りシートには無数の穴があるので円筒状タイプ以外のブラシに適用し、ポリエチレンを使用するため水に強く、また使い捨てにも、数回使用にも可能。
【発明の詳細な説明】
【技術分野】
【０００１】  本発明は、ブラシ使用後に付着する毛を容易に取り除く事が出来るシートである。
【背景技術】
【０００２】  従来の毛取り用品は市販で目にする事がなく、あったとしても安全性や容易性が薄いものである（例えば、特許文献１参照）。【０００３】  現在各家庭で使用しているブラシを買い替えないと毛を容易に取り除く事が出来ないという非合理性が欠点（例えば、特許文献２参照。）。
【特許文献１】  特開２００３−１２５８４８号
【特許文献２】  特開２０００−１７５７４０号
【発明の開示】
【発明が解決しようとする課題】
【０００４】  以上に述べた従来の毛取り用品では各家庭で使用中のブラシを継続して使用することが難しく、安全性や容易性に欠けるものであった。【０００５】  本発明は、このような従来有していた問題を解決しようとするものであり、大半の市販されているブラシに適用し、安全で容易な毛取り用品を目的とするものである。
【課題を解決するための手段】
【０００６】  ポリエチレンを使用する事により、毛取りシートによって頭皮を傷つけるといった危険性はなく、また無数の穴が空いているため市販で販売されている一般的なブラシに容易に装着することが出来る。
【発明の効果】
【０００７】  上述したように本発明の毛取りシートは、安全性と容易性を持ち、また円筒状のブラシ以外の市販されているブラシに全て適応出来る便利性を提供出来る。
【発明の実施するための最良の形態】
【０００８】  ブラシ底面から無数に出ている突起物の間に付着した毛は、ブラシ使用前に毛取りシートを装着することで、ブラシ使用後シートを一回剥がすだけで、きれいに取り除くことが出来る。
【発明の実施するための最良の形態】
【０００９】  以下、本発明の実施形態を図１に基づいて説明する。
【００１０】  図においては、表記されている素材全てをポリエチレンとし、１は素材全てに無数の穴を設けることにより、円筒状タイプ以外のブラシ全ての突起部分を通過して底面に装着することを可能とする。
【００１１】  ２はブラシ本体に装着する際、ブラシ上面の状態でブラシ持ち手の先端部分に２を上からあてて通し、ブラシ突収物にシート通過させ、ブラシ底面に装着しやすくするための穴である。（ブラシの突起物がある方を上面とします。）
【図面の簡単な説明】
【００１２】
【図１】  本発明毛取りシートの全体図
【符号の説明】
【００１３】  １      ポリエチレン製の網目
２      くしの持ち手通し穴
【図１】
2006223798.tif 000003
(57)【要約】【課題】買い物で使用されている買い物袋は、棒状・冷凍物・温かい物等の区別する為には、多数の買い物袋が必要であるが、使用された買い物袋は廃棄物として排出され焼却されている、その不要な買い物袋を削減する為に、同一の買い物袋に仕切りを施す事で、適合する大きさに区分（仕切り）を設ける事で、容易に整理が出来、不要な買い物袋の提供を削減できる事を提供する事。【解決の手段】小売・卸業で使用されている買い物袋は、一体型の買い物袋で大きさに応じた仕切りが無く、大小に応じた別の買い物袋が提供されている、その問題を解決する為に、既存の買い物袋に買い物の大きさに適合した仕切りを設ける事で、仕切りの付いた同一の買い物袋に棒状・冷凍・温かい物を、それぞれに入れたところ容易同一の袋で整理する事が出来、問題を解決したことで可能にした。【選択図】図１
2006223797.tif 000002
【特許請求の範囲】
【請求項１】
買い物袋に入れる野菜類（棒状の野菜）や魚類等、または冷凍食品との仕切りが無く、買い物袋に入れる際、整理できない事を解決する買い物袋で
イ）本同一の買い物袋に仕切りを設けるもので、ビニール等や布製類等の買い物袋に大根・ごぼう・ねぎ・魚類等の棒状またはその他の買い物を詰める際、たわみ等で整理できない事から棒状の買い物類等や冷凍食品、または温かい物等を、同一の買い物袋に適合する大きさに仕切り等、区分を設け、同一の買い物袋で整理できる買い物袋である事を特徴とする。
【発明の詳細な説明】
【発明の詳細な説明】
【技術分野】
【０００１】  本発明は、市販されている買い物袋に仕切りが無い事から、他の買い物類等を詰める際、困難なため、仕切りを設ける事で棒状、または冷凍食品類を区分し他の商品が整理できる買い物袋である。
【背景技術】
【０００２】  既存の買い物袋は、仕切りが無く棒状や冷凍食品、または温かい食品類等が混合し同一の買い物袋に詰める際整理が出来ない。
【発明者が解決しようとする課題】
【０００３】  同一の買い物袋に入れる際、棒状や冷凍食品、または温かい食品類等を区分できる袋で、棒状や冷凍食品、または温かい食品類を他の袋に詰めることなく、仕切りを設けた同一の買い物袋で整理できる買い物袋で解決するものである。
【課題を解決する為の手段】
【０００４】  本発明によれば、買い物袋に詰める際、棒状の食品や冷凍食品、または温かい食品類等を、同一の買い物袋に詰める事が出来ず、他の買い物袋が必要で古代鉱物資源の削減やごみとして廃棄焼却され炭酸ガス削減に貢献するために、同一の買い物袋に仕切りを設ける事で
ア）棒状の食品や冷凍食品、または温かい食品のが、他の食品を同一の袋に詰めることが困難なために、他の袋が必要であるが、本発明によれば、同一の買い物袋に適合する大きさに仕切りを設ける事で問題を解決した。
【発明の実態の形態】
【０００５】  本発明は、食品類等を詰める同一の袋に仕切りを設ける事で、容易に他の買い物を整理する事が出来、問題を解決した。
【実施例】
【０００６】以下本発明をさらに詳細に説明する。
本発明の、実施例の買い物袋の概略図は系統図で示される。
本発明の実施において、既存の買い物袋では棒状や冷凍、または温かい物の商品を同一の買い物袋へ詰める際、整理が困難な事からビニール系の買い物袋に仕切りを設け実施した。
▲１▼は既存で使用されている通常の買い物の袋で、仕切りが無く▲２▼は仕切りを施した買い物袋で示す。【０００７】▲１▼既存の買い物袋であるが、▲２▼仕切り区分で溶着・接着・縫い合わせ等を行う事で同一の袋で区分が出来、買い物を行い、ごぼう・大根等の棒状の野菜類を仕切りの狭い部分に投入し、他の買い物を広い部分に詰めたが容易に整理する事が出来た。
【図面の簡単な説明】
【図１】仕切り区分を設けた買い物袋を示した系統図である。
【符号の説明】
▲１▼  通常の買い物袋
▲２▼  適合した大きさの仕切り区分
【図１】
2006223797.tif 000003
(57)【要約】【課題】  本発明は、香炉皿において、底部に金網の付いた香炉皿に、線香の火種を浮かせて焚くための支持軸を設け、反転アーム軸で線香を、１本から束まで安定して確保させ、燃えて短くなった線香の支点が移動しながら燃焼できるように工夫したもので、香炉皿に線香を横に置いて、横向きに焚く際に効率良く、燃えやすくするため香炉皿の補助器具を提供する。【解決手段】（イ）香炉皿（９）と、底部の金網（８）と、支持軸（１）の本体を組み合わせる。（ロ）窪みを設けた支持軸（１）、支持軸（４）を設ける。（ハ）窪みを設けた支持軸（２）、支持軸（３）を設ける。（ニ）支持軸（１）に、クリップ（６）を取り付ける。（ホ）支持軸（１）、支持軸（４）に支持軸（２）、支持軸（３）をクリップ（６）で取り付ける。（ヘ）支持軸（１）と支持軸（４）に支点を設け、反転アーム軸（５）を設ける。  以上のように構成されたことを特徴とする。【選択図】  図１
2006223778.tif 000002
【特許請求の範囲】
【請求項１】
（イ）香炉皿（９）と、底部の金網（８）と、支持軸（１）の本体を組み合わせる。
（ロ）窪みを設けた支持軸（１）、支持軸（４）を設ける。
（ハ）窪みを設けた支持軸（２）、支持軸（３）を設ける。
（ニ）支持軸（１）に、クリップ（６）を取り付ける。
（ホ）支持軸（１）、支持軸（４）に支持軸（２）、支持軸（３）をクリップ（６）で取り付ける。
（ヘ）支持軸（１）と支持軸（４）に支点を設け、反転アーム軸（５）を設ける。
以上の構成よりなる香炉皿の補助具。
【発明の詳細な説明】
【技術分野】
【０００１】  本発明は、香炉皿において、底部に金網の付いた香炉皿に、線香の火種を浮かせて焚くための支持軸を設け、反転アーム軸で線香を、１本から束まで安定して確保させ、燃えて短くなった線香の支点が移動しながら燃焼できるように工夫したもので、横向きに焚く際に効率良く、燃えやすくするため香炉皿の補助器具に関するものである。
【背景技術】
【０００２】  従来、線香の火種は、面や線で接していると、そこの部分で立ち消えすることがあった。
香炉皿という受け皿に金網を配し、線香を横向きに焚く使用では、常に線香の一部が金網に触れた状態になり、消えやすかった。
【発明の開示】
【発明が解決しようとする課題】
【０００３】  そのために、次のような問題点があった。
線香には、種類が色々あり、用途も様々である。
束のまま焚く場合や少量の本数に分けて焚く場合でも、不便を解消して、燃えやすくなるように利用する工夫をした。
香炉皿に付属の金網を、後始末のとき、灰と一緒に捨ててしまうことがあった。
本発明は以上の問題点を解決しようとするものである。
【課題を解決するための手段】
【０００４】（イ）香炉皿（９）と、底部の金網（８）と、支持軸（１）の本体を組み合わせる。
（ロ）窪みを設けた支持軸（１）、支持軸（４）を設ける。
（ハ）窪みを設けた支持軸（２）、支持軸（３）を設ける。
（ニ）支持軸（１）に、クリップ（６）を取り付ける。
（ホ）支持軸（１）、支持軸（４）に支持軸（２）、支持軸（３）をクリップ（６）で取り付ける。
（ヘ）支持軸（１）と支持軸（４）に支点を設け、反転アーム軸（５）を設ける。
以上のように構成された香炉皿の補助具である。
【発明の効果】
【０００５】  本発明は香炉皿に横向きで焚いた線香が、簡単な操作で燃えやすくなった。
金網と補助器具をクリップで組み合わせることで、灰を処理するときの、後始末で金網を灰と一緒に捨ててしまうことがなくなる。
支持軸、反転アーム軸にそれぞれ窪みを設けることで、束、少量の本数をと問わず安定させることができる。
【発明を実施するための最良の形態】
【０００６】  以下、本発明の実施の形態を説明する。
（イ）香炉皿（９）と、底部の金網（８）と、支持軸（１）の本体を組み合わせる。
（ロ）窪みを設けた支持軸（１）、支持軸（４）を設ける。
（ハ）窪みを設けた支持軸（２）、支持軸（３）を設ける。
（ニ）支持軸（１）に、クリップ（６）を取り付ける。
（ホ）支持軸（１）、支持軸（４）に支持軸（２）、支持軸（３）をクリップ（６）で取り付ける。
（ヘ）支持軸（１）と支持軸（４）に支点を設け、反転アーム軸（５）を設ける。
本発明を使用するときは、上記の補助具を従来市販品にセットする。
（イ）不燃性の材質からなる支持軸に、線香（７）を火種が（１）側に向くようセットする。
（ロ）反転アーム軸（５）を支持軸（１）から支持軸（４）側へ起こし、線香（７）の端部を押さえる。
（ハ）火種が支持軸（１）より浮き上がり、勾配をもたらす。
（ニ）線香（７）が燃えて短くなると、線香（７）の重心位置支持軸（２）から支持軸（３）、支持軸（４）へ、火種が浮き上がり移動する。
横向きに焚く線香（７）は、使用する香炉皿（９）の金網（８）に、火種が触れた状態で使用するため、消えやすいと不具合があった。
火種を浮かすために勾配をもたらす支持軸（１）〜支持軸（４）を支点にし、燃えやすい形状にするものである。
燃えて灰となり落ちた線香（７）は、短くなり、支点が次々に移り変わる。
【図面の簡単な説明】
【０００７】
【図１】  本発明の使用状態を示した斜視図である。
【図２】  本発明の斜視図である。
【図３】  本発明の分解斜視図である。
【図４】  本発明の使用状態を示した斜視図である。
【図５】  本発明の使用状態を示した斜視図である。
【図６】  本発明の使用状態を示した側面図である。
【図７】  本発明の使用状態を示した側面図である。
【図８】  本発明の使用状態を示した側面図である。
【図９】  本発明の使用状態を示した側面図である。
【符号の説明】
【０００８】  １  支持軸
２  支持軸
３  支持軸
４  支持軸
５  反転アーム軸
６  クリップ
７  線香
８  金網
９  香炉皿
【図１】
2006223778.tif 000003
【図２】
2006223778.tif 000004
【図３】
2006223778.tif 000005
【図４】
2006223778.tif 000006
【図５】
2006223778.tif 000007
【図６】
2006223778.tif 000008
【図７】
2006223778.tif 000009
【図８】
2006223778.tif 000010
【図９】
2006223778.tif 000011
(57)【要約】      （修正有）【課題】中央に指掛けホールを設け、ホールの縁に盛り上がりを廻らせ、外周縁部に枠を付けた給仕盆を提供する。【解決手段】中央の指掛けホール２の縁の盛り上がりから、盛り上がり終止点３でなだらかに終わり、外周縁部の枠も枠終止点５でなだらかに終わり、外周縁部４を大小自由な形態にて作ることを特徴とする給仕盆。【選択図】図１
2006223776.tif 000002
【特許請求の範囲】
【請求項１】
中央に指かけホールを設け、そのホールの縁に盛り上がりを廻らせたことを特徴とする給仕盆。
【請求項２】
外周縁は、なだらか形状の枠を設け、大小自由な形態でも作られる。
【発明の詳細な説明】
【技術分野】
【０００１】  本発明は、中央に指かけホールを設け、そのホール縁に盛り上がりを廻らせた給仕盆に関するものである。［背景技術］【０００２】  従来、盆の中にホールがあるものでは、そのホールの縁に盛り上がりがないものであった。［発明の開示］［発明が解決しようとする課題］【０００３】  そのために、次のような問題点があった。  （イ）ホール付のでは、盛り上がりがないために指がフイットせず負担がかかる。  （ロ）誤って水などこぼした場合、水滴を落とすこととなる。  （ハ）一般の盆では、片手使用の場合不安定なものである。  本発明は、これらの問題点を解決するためになされたものである。［課題を解決するための手段］【０００４】  中央に指掛けホールを設け、そのホール縁に盛り上がりを廻らせる。  外周縁は、なだらか形状の枠を設け、大小自由な形態にも作られる。以上を特徴とする給仕盆である。［発明の効果］【０００５】  指掛けホールに指がフイットして、水滴を落とすこともなく、手のひら腕に安定した状態でフイットし支えられる事により、片手でドアの開閉、階段の手摺利用、ポットを持つなどの利便性がある。  また、外周縁を大きくして、多く食器等を載せたり、小さくして立食パーティ用にすれば、ワイングラスの立ち台部分を親指で支えることもでき、料理も多種載せることができる。  外枠は、載せ台と枠の境をなだらかにすることにより、汚れを付きにくくしたり、大皿が、外枠より突出した状態でも安定感を保ちながら運ぶことができる。［発明を実施するための最良の形態］【０００６】  以下、本発明の実施の形態について説明する。  （イ）載せ台（１）の中央部にホール（２）の縁から約５ミリの高さの盛り上がりは、盛り上がり終止点（３）にかけて幅約１センチの形状にする。  （ロ）外周縁部（４）から内側にかけての枠終止点（５）までなだらかな形状の枠にする。  （ハ）底面図の底面ホール周り（６）は、指当たり良くするため角を取る。  本発明は、以上のような構成で、これを使用するときは、ホールに親指を差し入れ、手のひら腕にかけて支える。［実施例１］【０００７】  給仕盆形状の材質としては、金属、プラスチック、または、木等多様な好みで作れる。
【図面の簡単な説明】
【０００８】
【図１】本発明の平面図
【図２】本発明の底面図
【図３】本発明の正面図
【図４】本発明のホール断面図拡大
【符号の説明】
【０００９】１  載せ台２  ホール３  盛り上がり終止点４  外周縁部５  枠終止点６  底面ホール周り
【図１】
2006223776.tif 000003
【図２】
2006223776.tif 000004
【図３】
2006223776.tif 000005
【図４】
2006223776.tif 000006
(57)【要約】【課題】  正しいバットのスイングはバットのグリップを強く握らない方が良いと指導される。しかしバットのグリップは滑りやすく、特に初心者や握力の少ない者がバットを振るとバットのグリップを握っている指が緩みバットがすっぽ抜けてしまう。さらにバッテング実施者の周りにいる人やバッティング練習の補助者にバットが飛んで危険である。以上のことからバッティング実施者はどうしてもグリップを強く握ってしまい効果的なバッテング練習ができない。本考案は、この問題を解決するものである。【解決手段】  上記の問題を解決するためにバットのグリップを握った状態で手首部から発しているベルトをバットのグリップを握った指を覆うように巻き込み固定する。これによりバットのグリップを握っている指を上から押さえることになりこの結果バットを振ったとき、バットのグリップを握っている指が緩んで、バットがすっぽ抜けることを防止する。【選択図】  図３
2006223777.tif 000002
【特許請求の範囲】
【請求項１】
野球やソフトボールのバッティング練習において使用するグローブで、グローブに備えたベルト１をバット８のグリップ部７を握っている指を覆うように巻き付け固定することにより、バット８を振ったとき、バットのグリップ７を握っている指が緩んで、バットがすっぽ抜けることを防止するグローブである。
【発明の詳細な説明】
【技術分野】
【０００１】  野球やソフトボールのバッティング練習に使用するバットのすっぽ抜け防止バッティング練習グローブ。
【背景技術】
【０００２】  通常バッティング練習のときバットがすっぽ抜けてしまうのを防ぐためには滑り止め粉やグリップに滑り止めテープを巻くなどして対処することが多い。
【発明の開示】
【発明が解決しようとする課題】
【０００３】  正しいバットのスイングはバット８のグリップ７を強く握らない方が良いと指導される。しかしバットのグリップは滑りやすく、特に初心者や握力の少ない者がバットを振るとバット８のグリップ７を握っている指が緩みバット８がすっぽ抜けてしまう。さらにバッテング実施者の周りにいる人やバッティング練習の補助者にバットが飛んで危険である。以上のことからバッティング実施者はどうしてもグリップ７を強く握ってしまい効果的なバッテング練習ができない。本考案は、この問題を解決するものである。
【課題を解決するための手段】
【０００４】  上記の問題を解決するためにバッテング用グローブ４の手首部２から指先に向かうようにベルト１を配し、その片端は手首部分２に固定されている。バット８のグリップ７を握った状態で手首部２から発しているベルト１の上方をバット８のグリップ７を握った指を覆うように巻き込みグローブ６の甲と指の付け根の部分に固定する。これによりバット８のグリップ７を握っている指を上から押さえることになりこの結果バットを振ったとき、バット８のグリップ７を握っている指が緩んで、バットがすっぽ抜けることを防止する。【０００５】  右バッターは左手とバットのグリップ部を、左バッターは右手とバットのグリップ部を上記の方法により連結する。
【発明の効果】
【０００６】  これによりバットを振ったとき手からバットがすっぽ抜けバットを飛ばす心配が軽減されるので実施者はバットのグリップの握りを調整しながら効果的なバッティング練習が出来る。
【発明を実施するための最良の形態】
【０００７】  強度耐久性のある素材でベルト１とグローブを成し、ベルト１の片端は手首部２に固定される。このベルト１でバット８のグリップ７を握った指を覆うように巻き込み固定するとき、実施者の手の大きさにより締め付け具合を調節できるように又は簡単な脱着を可能にするためにベルト１の内側部３とグローブ６の甲と指の付け根の部分にマジックテープ５を利用することで実現する。
【図面の簡単な説明】
【０００８】
【図１】  正面から見た図およびグローブの手の平側
【図２】  背面からみた図およびグローブの手の甲側
【図３】  本発明を取り付けた図
【符号の説明】
１  ベルト
２  手首部
３  マジックテープベルト用
４  グローブ手のひら側
５  マジックテープ手の甲用
６  グローブ手の甲側
７  バットのグリップ
８  バット
【図１】
2006223777.tif 000003
【図２】
2006223777.tif 000004
【図３】
2006223777.tif 000005
(57)【要約】      （修正有）【課題】  使用者が刃物を脇に置いた状態であっても、思わぬけがをすることがない安全な刃物を提供する。【解決手段】  刃３を下向きにした状態でおくことが可能な刃物において、刃３を一方の側に設けた刀身部２と、刀身部２に取り付けられた固定部４と、固定部４の後方に設けられた握持部５とを有し、前記固定部４は、前記刃物を載置した場合に倒れないように置くための接触部７をその外周の少なくとも一部に有している、ことを特徴とする刃物。【選択図】    図１
2006223774.tif 000002
【特許請求の範囲】
【請求項１】
刃を下向きにした状態でおくことが可能な刃物において、刃を一方の側に設けた刀身部と、刀身部に取り付けられた固定部と、固定部の後方に設けられた握持部とを有し、前記固定部は、前記刃物を載置した場合に倒れないように置くための接触部をその外周の少なくとも一部に有している、ことを特徴とする刃物。
【請求項２】
前記刀身部の切っ先は、刀身部と載置した面とが略接触するような形状であることを特徴とする、請求項１に記載の刃物。
【請求項３】
前記固定部は日本刀の鍔を模した形状であり、前記握持部は日本刀の柄をもした形状であることを特徴とする、請求項１又は２に記載の刃物。
【発明の詳細な説明】
【技術分野】
【０００１】  本発明は、刃物に関し、より詳しくは、まな板等に載置した場合に、刃を下向きにした状態でおくことが可能な刃物に関する。
【背景技術】
【０００２】  従来の、包丁などの刃物は、食材などを切る場合を除いた、使わない状態では、いわゆる寝た状態で置かれていた。
【発明の開示】
【発明が解決しようとする課題】
【０００３】  しかし、厨房やキッチンなどでは作業スペースが限られている関係から、刃物を寝せた状態でそのそばで調理人などは作業を進める必要がある。例えば、また板を布巾でぬぐったり、野菜くずを払い落としたりするなど手を大きく横に動かす動作をする場合がある。【０００４】  この様に、手を大きく横に動かす動作をした場合、うっかりいわゆる寝た状態で置かれていた刃物の刃に触れてしまうと、思わぬけがをするという問題点があった。【０００５】  本発明の目的は、上記課題を解決することにあり、手を大きく横に動かす動作をした場合、うっかりいわゆる寝た状態で置かれていた刃物の刃に触れてしまうことがないよう、刃を下向きにした状態でおくことが可能な刃物を提供することにある。
【課題を解決するための手段】
【０００６】  上記課題を解決するための手段として、本発明は以下の特徴を有している。
本発明の一態様は、刃を下向きにした状態でおくことが可能な刃物として提案される。【０００７】  この刃物は、刃を一方の側に設けた刀身部（刀身部材）と、刀身部に取り付けられた固定部（固定部材）と、固定部の後方に設けられた握持部（握持部材）とを有し、前記固定部は、前記刃物を載置した場合に倒れないように置くための接触部（直線部）をその外周の少なくとも一部に有している、ことを特徴としている。【０００８】  本発明によれば、刃物がまな板状などに置かれた場合に接触部により、転がったり倒れたりしないようにいわゆる立った（載置する面に対して刀身部が略垂直）状態に保たれるため、手を横に動かした場合、うっかり刃物の刃に触れてけがをすることを防止できる。
【発明の効果】
【０００９】  本発明によれば、使用者が刃物を脇に置いた状態であっても、思わぬけがをすることがない安全な刃物を提供することが出来る。
【発明を実施するための最良の形態】
【００１０】  以下、図面を参照しながら本発明の実施の形態について説明する。
図１は、本発明の実施の形態にかかる刃物の一種である、柳刃包丁の斜視図である。【００１１】  この包丁１は、鋳鉄、ステンレス、セラミックなど適宜の硬度を有する素材で形成された刀身部材２と、刀身部材２の根元に取り付けられた鍔状の固定部材４と、固定部材４の後方に設けられた柄又は握りに相当する握持部材５とを有している。【００１２】  刀身部材２には、食材などの対象物を切断するための刃３が形成されている。固定部材４は、金属、木材、プラスチックなど適度な強度を有する素材で形成された、板状の部材であって、包丁１を載置した場合に倒れないように、安定した状態で置くための直線部７その外周の少なくとも一部に有している。この直線部７が載置する面（例えば、まな板の表面）に一致して、包丁が横向きに倒れないように保つ働きをする。なお、直線部７  握持部材５は、使用者が包丁１を使用する場合に握る部分であって、木材、プラスチックなど適宜の素材で形成された棒状の部材である。【００１３】  以下、図２，図３を参照しながら包丁１の構成をより詳しく説明する。図２は、本実施の形態にかかる包丁１の側面図であり、図３は、包丁１の分解組み立て図である。
刀身部材２は、固定部材４を貫通して握持部材５に差し込むための差し込み部８を有している。固定部材４は、差し込み部８を貫通させるための貫通穴７を有している。また、握持部材５は、差し込み部８を収納して保持するための差し込み孔６を有している。【００１４】  包丁１を組み立てるには、刀身部材２の差し込み部８を固定部材４の貫通孔９を通過させて、握持部材５の差し込み穴６に押し込むことにより、刀身部材２，固定部材４、握持部材５が互いに固定されることとなる。【００１５】  直線部７は、包丁１を載置した状態で刃３が下向き（載置される面に向かう方向）になる位置に設けられる。【００１６】  本発明にかかる刃物によれば、刃が下向きの状態で刃物を置くことが可能となるため、使用者が刃物を脇に置いた状態であっても、思わぬけがをすることがない安全な刃物を提供することが出来る。【００１７】  また、刀身部材２の切っ先は、包丁１を載置した場合に、切っ先と載置した面との間に隙間が出来て、指などが入り込まないよう、切っ先と載置した面との間がほぼ接触するような形状にすることが好ましい。【００１８】  なお、本発明にかかる刃物は、固定部材４を日本刀の鍔のような形状とし、握持部材５を日本刀の柄のように装飾用糸などで巻いたものとすれば、日本刀を模した置物としても利用することが出来る。
【図面の簡単な説明】
【００１９】
【図１】  包丁の斜視図
【図２】  図１に示す包丁の側面図
【図３】  図１に示す包丁の分解組み立て図
【符号の説明】
【００２０】  １  …  包丁
２  …  刀身部
３  …  刃
４  …  固定部材
５  …  握持部材
６  …  差し込み穴
７  …  直線部
８  …  差し込み部
９  …  貫通穴
【図１】
2006223774.tif 000003
【図２】
2006223774.tif 000004
【図３】
2006223774.tif 000005
(57)【要約】      （修正有）【課題】  はさみ健康具に関し、特に痛みのあるところや、疲れたところをはさみ、治療するはさみ健康具を提供する。【解決手段】該はさみ健康具は、適当な長さの２本の握り棒１に、それぞれ押し棒４と弾力ゴム５をつけて、両握り棒１の先端に繊維３を取り付けて両握り棒１を連結して構成されることを特徴とする。【選択図】  図１
2006223771.tif 000002
【特許請求の範囲】
【請求項１】
握り棒と握り棒の先端を繊維でとめ、握り棒の内側に弾力ゴムをかぶせ押し棒をとりつけた、はさみ健康具。
【発明の詳細な説明】
【発明の詳細な説明】
この発明は適当な長さの握り棒の先端を柔らかくて強い繊維で維持し内側に押し棒をつけ痛みのあるところや、疲れたところをはさみ、治療するはさみ健康具である。
従来押し棒で押す健康具はあったが、太い足や腕、首など左右、前後を均等な力で挟む健康具はなかったし、従来の押し棒で他人様の押し方によっては筋肉や骨を痛めたりした。
そのため前後左右自分でできるものが要求されていた。
本発明は、その強い要望にこたえて、簡単な方法で解決したものである。以下それを説明すると、
（イ）握り棒に穴をあけ先端に繊維を取りつける。
（ロ）握り棒の内側に穴をあけ、押し棒を取り付け、うらからビスで止める。
（ハ）押し棒の先端に防傷ようの弾力ゴムをつける。
このようなものであれば自分でいつでもつかえる。
本発明はこのような簡単な方法で、問題を解決したものである。
【図面の簡単な説明】
【図１】  本発明はさみ健康具の正面図
【図２】  本発明はさみ健康具側面図
【図３】  本発明の斜視図
【符号の説明】
１は握り棒
２は握り棒
３は繊維
４は押し棒
５は弾力ゴム
６は木ビス
【図１】
2006223771.tif 000003
【図２】
2006223771.tif 000004
【図３】
2006223771.tif 000005